(57)【要約】【課題】画像と音楽とが一体となった音楽付きスライドショーデータを作成することができるスライドショー作成システム及びスライドショー作成方法並びにスライドショー作成プログラムの提供。【解決手段】スライドショー作成システムに、ハードウェア又はソフトウェアとして、スライドショーのＢＧＭとして選択された１又は複数の音楽データを解析して、楽曲のサビと呼ばれる盛り上がり部分を特定する音楽解析部２ａと、イベントで撮影された一連の画像データを一覧表示してユーザに画像データを選択させるための画面を表示する際に、楽曲の盛り上がり部分を演奏時間に対応付けて明示する表示制御部２ｂと、音楽データと上記画面で選択された画像データとを合成して音楽付きスライドショーを作成する合成部２ｃと、を設け、スライドショー作成者が楽曲のドラマ的展開に合わせて画像を配置できるようにする。【選択図】図３
2009118117.tif 000002
【特許請求の範囲】
【請求項１】
音楽データとイベントで撮影された一連の画像データとに基づいて音楽付きスライドショーを作成するスライドショー作成システムにおいて、
前記音楽データを解析して、該音楽データに基づく楽曲の盛り上がり部分を特定する音楽解析部と、
前記一連の画像データに基づく画像を一覧表示する画面を表示部に表示させる際に、前記画面に、前記楽曲の前記盛り上がり部分を演奏時間に対応付けて明示する表示制御部と、
前記音楽データに、前記画面で選択された前記画像データを合成して音楽付きスライドショーを作成する合成部と、を少なくとも備えることを特徴とするスライドショー作成システム。
【請求項２】
音楽データとイベントで撮影された一連の画像データとに基づいて音楽付きスライドショーを作成するスライドショー作成システムにおいて、
前記音楽データを解析して、該音楽データに基づく楽曲の盛り上がり部分を特定する音楽解析部と、
前記一連の画像データを解析して、前記イベントの特定のシーンで撮影された所定の画像を特定する画像解析部と、
前記楽曲の前記盛り上がり部分に前記所定の画像を配置し、前記音楽データに、配置された前記画像データを合成して音楽付きスライドショーを作成する合成部と、を少なくとも備えることを特徴とするスライドショー作成システム。
【請求項３】
前記スライドショー作成システムは、前記音楽データを記憶するサーバと、前記音楽付きスライドショーを作成する制御装置と、が通信ネットワークで接続されて構成され、
前記サーバに前記音楽解析部を備え、
前記音楽解析部は、前記音楽データを解析して、該音楽データの楽曲の盛り上がり部分を特定し、前記盛り上がり部分の位置を規定する付帯情報を作成し、前記音楽データと前記付帯情報とを関連付けて、前記制御装置に送信することを特徴とする請求項１又は２に記載のスライドショー作成システム。
【請求項４】
前記スライドショー作成システムは、前記音楽データを記憶するサーバと、前記音楽付きスライドショーを作成する制御装置と、が通信ネットワークで接続されて構成され、
前記サーバに前記音楽解析部を備え、
前記音楽解析部は、前記音楽データを解析して、該音楽データの楽曲の盛り上がり部分を特定し、前記盛り上がり部分の位置を規定する付帯情報を作成し、ヘッダ領域に前記付帯情報を記録した前記音楽データを、前記制御装置に送信することを特徴とする請求項１又は２に記載のスライドショー作成システム。
【請求項５】
前記スライドショー作成システムは、前記音楽データを記憶するサーバと、前記音楽付きスライドショーを作成する制御装置と、が通信ネットワークで接続されて構成され、
前記サーバに前記音楽解析部を備え、
前記音楽解析部は、予め複数の音楽データを解析して、各々の音楽データの楽曲の盛り上がり部分を特定し、前記盛り上がり部分の位置を規定する付帯情報を作成し、前記制御装置内で選択された音楽データに対応する前記付帯情報を、前記制御装置に送信することを特徴とする請求項１又は２に記載のスライドショー作成システム。
【請求項６】
音楽データとイベントで撮影された一連の画像データとに基づいて音楽付きスライドショーを作成するスライドショー作成方法であって、
前記音楽付きスライドショーで再生する音楽データを選択させるステップと、
選択された前記音楽データを解析して、該音楽データに基づく楽曲の盛り上がり部分を特定するステップと、
前記一連の画像データを取得し、該一連の画像データに基づく画像を一覧表示する画面を表示するステップと、
前記画面を用いて前記音楽付きスライドショーで再生する画像データを選択させるステップと、
前記音楽データに、前記画面で選択された画像データを合成して音楽付きスライドショーを作成するステップと、を少なくとも備え、
前記画面を表示するステップでは、前記画面に、前記楽曲の前記盛り上がり部分を演奏時間に対応付けて明示することを特徴とするスライドショー作成方法。
【請求項７】
音楽データとイベントで撮影された一連の画像データとに基づいて音楽付きスライドショーを作成するスライドショー作成方法であって、
前記音楽付きスライドショーで再生する音楽データを選択させるステップと、
選択された前記音楽データを解析して、該音楽データに基づく楽曲の盛り上がり部分を特定するステップと、
前記一連の画像データを取得するステップと、
前記一連の画像データを解析して、前記イベントの特定のシーンで撮影された所定の画像を特定するステップと、
前記楽曲の前記盛り上がり部分に前記所定の画像を配置するステップと、
前記音楽データに、配置された画像データを合成して音楽付きスライドショーを作成するステップと、を少なくとも備えることを特徴とするスライドショー作成方法。
【請求項８】
前記音楽データを記憶するサーバと、前記音楽付きスライドショーを作成する制御装置と、が通信ネットワークで接続され、
前記サーバで、前記音楽データを解析して、該音楽データの楽曲の盛り上がり部分を特定するステップと、
前記盛り上がり部分の位置を規定する付帯情報を作成し、前記音楽データと前記付帯情報とを関連付けて、前記制御装置に送信するステップと、を実行することを特徴とする請求項６又は７に記載のスライドショー作成方法。
【請求項９】
前記音楽データを記憶するサーバと、前記音楽付きスライドショーを作成する制御装置と、が通信ネットワークで接続され、
前記サーバで、前記音楽データを解析して、該音楽データの楽曲の盛り上がり部分を特定するステップと、
前記盛り上がり部分の位置を規定する付帯情報を作成し、ヘッダ領域に前記付帯情報を記録した前記音楽データを、前記制御装置に送信するステップと、を実行することを特徴とする請求項６又は７に記載のスライドショー作成方法。
【請求項１０】
前記音楽データを記憶するサーバと、前記音楽付きスライドショーを作成する制御装置と、が通信ネットワークで接続され、
前記サーバで、予め複数の音楽データを解析して、各々の音楽データの楽曲の盛り上がり部分を特定し、前記盛り上がり部分の位置を規定する付帯情報を作成するステップと、
前記制御装置内で選択された音楽データと同じ音楽データを記憶しているかを判断するステップと、
同じ音楽データを記憶している場合に、該音楽データに対応する前記付帯情報を、前記制御装置に送信するステップと、を実行することを特徴とする請求項６又は７に記載のスライドショー作成方法。
【請求項１１】
音楽データとイベントで撮影された一連の画像データとに基づいて音楽付きスライドショーを作成するシステムで動作するスライドショー作成プログラムであって、
コンピュータを、
前記音楽データを解析して、該音楽データに基づく楽曲の盛り上がり部分を特定する音楽解析部、
前記一連の画像データに基づく画像を一覧表示する画面を表示部に表示させる際に、前記画面に、前記楽曲の前記盛り上がり部分を演奏時間に対応付けて明示する表示制御部、
前記音楽データに、前記画面で選択された前記画像データを合成して音楽付きスライドショーを作成する合成部、として機能させることを特徴とするスライドショー作成プログラム。
【請求項１２】
音楽データとイベントで撮影された一連の画像データとに基づいて音楽付きスライドショーを作成するシステムで動作するスライドショー作成プログラムであって、
コンピュータを、
前記音楽データを解析して、該音楽データに基づく楽曲の盛り上がり部分を特定する音楽解析部、
前記一連の画像データを解析して、前記イベントの特定のシーンで撮影された所定の画像を特定する画像解析部、
前記楽曲の前記盛り上がり部分に前記所定の画像を配置し、前記音楽データに、配置された前記画像データを合成して音楽付きスライドショーを作成する合成部、として機能させることを特徴とするスライドショー作成プログラム。
【発明の詳細な説明】
【技術分野】
【０００１】
本発明は、画像と音楽とが一体となったスライドショーを作成するスライドショー作成システム及びスライドショー作成方法並びにスライドショー作成プログラムに関する。
【背景技術】
【０００２】
従来、写真画像はプリント出力して閲覧する方法が主流であったが、近年では、スライドショー作成プログラムを用いて、複数の写真画像が順次表示されるスライドショーの動画データを作成し、その動画データをパーソナルコンピュータなどで再生して写真画像をスライドショーとして閲覧したり、スライドショーの動画データをＤＶＤプレーヤなどの家電機器で再生可能な形式のデータに変換して記録媒体に書き込み、家電機器で写真画像をスライドショーとして閲覧するユーザが増えている。
【０００３】
また、画像データと音楽データとを合成した音楽付きスライドショーを作成することも行われており、画像データと音楽データとを合成に関して様々な手法が提案されている。例えば、下記特許文献１には、ルール・サーバで、音楽ＣＤから読み取ったＴＯＣ（Table of Contents）情報に対応したスライドショー・ルールをデータベースから読み取ってクライアントに送信し、クライアントで音楽ＣＤに記録されている音楽が再生されつつ、スライドショー・ルールに従ってスライドショーが実行されるスライドショー・システムが開示されている。
【０００４】
【特許文献１】特開２００６−２７７８５２号公報
【発明の開示】
【発明が解決しようとする課題】
【０００５】
上記音楽付きスライドショーは画像のみを表示するスライドショーに比べて効果的に画像を表示できることから各種イベントで利用されており、例えば、結婚式の披露宴で撮影した写真画像を用いて音楽付きスライドショーを作成し、出席者に配布するサービスも行われている。
【０００６】
ここで、イベントで撮影される一連の写真画像の中には感動的なシーンを撮影した画像（例えば、ケーキ入刀や新郎新婦の入場などを撮影した画像）もあれば、情景を撮影した画像（例えば、披露宴出席者の歓談風景などを撮影した画像）もある。また、音楽は感情を音律で表現するものであるため、１曲の中には、盛り上がる部分もあれば、落ち着いた部分もある。従って、音楽付きスライドショーを作成する際には、画像と音楽とが関連付けて再生されるように配慮することが重要である。
【０００７】
そこで、上記特許文献１では、音楽ＣＤから読み取ったＴＯＣ情報に基づいて、スライドショー・ルールを設定し、その一例として、音楽データがゆっくりとした音楽であればゆっくりとしたスライドショーが行われるようにスライドショー・ルールを定め、音楽データがテンポの速い音楽であれば、画像の移動、切り換えなどがそのテンポにあって変化するようにスライドショー・ルールを定めている。
【０００８】
しかしながら、この方法は画像の表示タイミングを設定するものであり、画像の表示順を変更するものではないため、楽曲の盛り上がりに合わせて感動的な画像を配置しないと、画像と音楽とが一体となった音楽付きスライドショーを作成することはできない。
【０００９】
本発明は、上記問題点に鑑みてなされたものであって、その主たる目的は、画像と音楽とが一体となった音楽付きスライドショーデータを作成することができるスライドショー作成システム及びスライドショー作成方法並びにスライドショー作成プログラムを提供することにある。
【課題を解決するための手段】
【００１０】
上記目的を達成するため、本発明は、音楽データとイベントで撮影された一連の画像データとに基づいて音楽付きスライドショーを作成するスライドショー作成システムにおいて、前記音楽データを解析して、該音楽データに基づく楽曲の盛り上がり部分を特定する音楽解析部と、前記一連の画像データに基づく画像を一覧表示する画面を表示部に表示させる際に、前記画面に、前記楽曲の前記盛り上がり部分を演奏時間に対応付けて明示する表示制御部と、前記音楽データに、前記画面で選択された前記画像データを合成して音楽付きスライドショーを作成する合成部と、を少なくとも備えるものである。
【００１１】
また、本発明は、音楽データとイベントで撮影された一連の画像データとに基づいて音楽付きスライドショーを作成するスライドショー作成システムにおいて、前記音楽データを解析して、該音楽データに基づく楽曲の盛り上がり部分を特定する音楽解析部と、前記一連の画像データを解析して、前記イベントの特定のシーンで撮影された所定の画像を特定する画像解析部と、前記楽曲の前記盛り上がり部分に前記所定の画像を配置し、前記音楽データに、配置された前記画像データを合成して音楽付きスライドショーを作成する合成部と、を少なくとも備えるものである。
【００１２】
また、本発明は、音楽データとイベントで撮影された一連の画像データとに基づいて音楽付きスライドショーを作成するスライドショー作成方法であって、前記音楽付きスライドショーで再生する音楽データを選択させるステップと、選択された前記音楽データを解析して、該音楽データに基づく楽曲の盛り上がり部分を特定するステップと、前記一連の画像データを取得し、該一連の画像データに基づく画像を一覧表示する画面を表示するステップと、前記画面を用いて前記音楽付きスライドショーで再生する画像データを選択させるステップと、前記音楽データに、前記画面で選択された画像データを合成して音楽付きスライドショーを作成するステップと、を少なくとも備え、前記画面を表示するステップでは、前記画面に、前記楽曲の前記盛り上がり部分を演奏時間に対応付けて明示するものである。
【００１３】
また、本発明は、音楽データとイベントで撮影された一連の画像データとに基づいて音楽付きスライドショーを作成するスライドショー作成方法であって、前記音楽付きスライドショーで再生する音楽データを選択させるステップと、選択された前記音楽データを解析して、該音楽データに基づく楽曲の盛り上がり部分を特定するステップと、前記一連の画像データを取得するステップと、前記一連の画像データを解析して、前記イベントの特定のシーンで撮影された所定の画像を特定するステップと、前記楽曲の前記盛り上がり部分に前記所定の画像を配置するステップと、前記音楽データに、配置された画像データを合成して音楽付きスライドショーを作成するステップと、を少なくとも備えるものである。
【００１４】
また、本発明は、音楽データとイベントで撮影された一連の画像データとに基づいて音楽付きスライドショーを作成するシステムで動作するスライドショー作成プログラムであって、コンピュータを、前記音楽データを解析して、該音楽データに基づく楽曲の盛り上がり部分を特定する音楽解析部、前記一連の画像データに基づく画像を一覧表示する画面を表示部に表示させる際に、前記画面に、前記楽曲の前記盛り上がり部分を演奏時間に対応付けて明示する表示制御部、前記音楽データに、前記画面で選択された前記画像データを合成して音楽付きスライドショーを作成する合成部、として機能させるものである。
【００１５】
また、本発明は、音楽データとイベントで撮影された一連の画像データとに基づいて音楽付きスライドショーを作成するシステムで動作するスライドショー作成プログラムであって、コンピュータを、前記音楽データを解析して、該音楽データに基づく楽曲の盛り上がり部分を特定する音楽解析部、前記一連の画像データを解析して、前記イベントの特定のシーンで撮影された所定の画像を特定する画像解析部、前記楽曲の前記盛り上がり部分に前記所定の画像を配置し、前記音楽データに、配置された前記画像データを合成して音楽付きスライドショーを作成する合成部、として機能させるものである。
【００１６】
このように、本発明によれば、ユーザは楽曲の盛り上がり部分に、イベントの特定のシーンで撮影された所定の画像を容易に配置することができ、また、楽曲の盛り上がり部分に、イベントの特定のシーンで撮影された所定の画像が自動的に配置されるため、画像と音楽とが一体となった音楽付きスライドショーデータを作成することができる。
【発明の効果】
【００１７】
本発明のスライドショー作成システム及びスライドショー作成方法並びにスライドショー作成プログラムによれば、画像と音楽とが一体となった音楽付きスライドショーデータを作成することができる。
【００１８】
その理由は、音楽解析部により、予め定めたルールに従って音楽中のサビなどの盛り上がり部分が特定され、表示制御部により、イベントで撮影された一連の画像データを一覧表示する画面を表示する際に、楽曲の盛り上がり部分が演奏時間に対応付けて明示され、合成部により、音楽データと上記画面で選択された画像データとが合成されるため、ユーザは楽曲の盛り上がり部分に、イベント上、重要なシーンで撮影された感動的な画像を容易に配置することができ、音楽の演奏と画像の表示とに関連性を持たせることができるからである。
【００１９】
また、音楽解析部により、予め定めたルールに従って音楽中のサビなどの盛り上がり部分が特定され、画像解析部により、予め定めたルールに従ってイベント上、重要なシーンで撮影された所定の画像が特定され、合成部により、楽曲の盛り上がり部分に所定の画像が自動的に配置されて音楽付きスライドショーが作成されるからである。
【発明を実施するための最良の形態】
【００２０】
従来技術で示したように、画像データと音楽データとを合成した音楽付きスライドショーを利用するユーザが増えており、複数の写真画像を順次表示する際に、そのＢＧＭとして音楽を再生することにより、写真画像をより効果的に表示することができる。
【００２１】
ここで、写真はそのときの感動を映像で記録するものであり、イベントで撮影した一連の画像にはイベントの進行に応じた感動の抑揚が存在する。例えば、結婚式披露宴のようなイベントは、ケーキ入刀や新郎新婦入場のような特定のシーンで盛り上がるように演出されているため、その特定のシーンを撮影した画像は見る者に大きな感動を与える。一方、音楽は感動を音律で表現するものであり、作曲意図としての普遍性のあるドラマ的展開がある。
【００２２】
従って、一連の画像を見た者が受ける感動の抑揚と、１曲の音楽によって表現されるドラマ的展開とが合致しないと、画像と音楽とを一体化させることができず、画像に音楽を付加する意義がなくなってしまう。そこで、本発明では、感動的で、ユーザが個々人の想い出に浸れる演出効果を生み出すことができる音楽付きスライドショーを作成する仕組みを提案する。
【００２３】
具体的には、スライドショー作成システムに、ハードウェア又はソフトウェアとして、スライドショーのＢＧＭとして選択された１又は複数の音楽データを解析して、楽曲のサビと呼ばれる盛り上がり部分を特定する音楽解析部と、イベントで撮影された一連の画像データを一覧表示してユーザに画像データを選択させるための画面を表示する際に、楽曲の盛り上がり部分を演奏時間に対応付けて明示する表示制御部と、音楽データと上記画面で選択された画像データとを合成して音楽付きスライドショーを作成する合成部と、を設け、スライドショー作成者が、楽曲のドラマ的展開に合わせて所望の画像を配置できるようにする。
【００２４】
また、スライドショー作成システムに、ハードウェア又はソフトウェアとして、スライドショーのＢＧＭとして選択された１又は複数の音楽データを解析し、楽曲のサビと呼ばれる盛り上がり部分を特定する音楽解析部と、イベントで撮影された一連の画像データを解析し、イベント上、特に重要な感動的な画像を特定する画像解析部と、音楽の盛り上がり部分に感動的な画像を配置して音楽付きスライドショーを作成する合成部と、を設け、楽曲のドラマ的展開に合致した画像が自動的に配置されるようにする。以下、図面を参照して説明する。
【実施例１】
【００２５】
上記実施形態について詳細に説明すべく、本発明の第１の実施例に係るスライドショー作成システム及びスライドショー作成方法並びにスライドショー作成プログラムについて、図１乃至図７を参照して説明する。図１及び図２は、本実施例の音楽付きスライドショー作成システムの構成を模式的に示す図であり、図３は、制御装置の構成を示すブロック図である。また、図４は、本実施例の音楽付きスライドショー作成方法を示すフローチャート図であり、図５及び図６は、制御装置の表示部に表示される画面の構成例を示す図である。また、図７は、楽曲の構成及び付帯情報の例を示す図である。
【００２６】
図１に示すように、本実施例のスライドショー作成システムは、音楽データ（ファイル形式を問わず、音楽情報を含むデータを総称して音楽データと呼ぶ。）と、画像データ（ファイル形式を問わず、画像情報を含むデータ（静止画像データ及び動画データ）を総称して画像データと呼ぶ。）と、を合成して、画像データの各画像が音楽データの音楽に合わせてスライド再生される音楽付きスライドショーを作成する制御装置１を含み、制御装置１は、図３に示すように、制御部２と、記憶部３と、表示部４と、操作部５と、データ入力部６と、データ出力部７などを備えている。
【００２７】
制御部２は、ＣＰＵ（Central Processing Unit）、ＲＯＭ（Read Only Memory）、ＲＡＭ（Random Access Memory）などにより構成される。ＣＰＵは、操作部５の操作により、ＲＯＭに記憶されている各種プログラムを読み出してＲＡＭに展開し、展開されたプログラムに従って、制御装置１の各部の動作を制御する。
【００２８】
また、制御部２は、音楽データを周波数成分に分解し、周波数成分が類似する部分を抽出して、楽曲のサビと呼ばれる盛り上がり部分を特定する音楽解析部２ａと、イベントで撮影された一連の画像データを一覧表示し、その中からスライドショーで再生する画像データをユーザに選択させるための画面を表示部４に表示させる際に、音楽の盛り上がり部分を演奏時間に対応付けて明示し、適切な画像を選択できるようにする表示制御部２ｂと、音楽データと画像データとを合成し、ＤＶＤプレーヤやＤＶＤレコーダ、ＨＤＤレコーダ、ゲーム機などの家電機器で利用可能なＶｉｄｅｏ−ＣＤ形式、ＤＶＤ−Ｖｉｄｅｏ形式、ＨＤＴＶ形式、コンピュータ機器で利用可能な形式、ｗｅｂで利用可能な形式などに変換してスライドショーデータを生成する合成部２ｃとしても機能する。
【００２９】
なお、上記音楽解析部２ａ、表示制御部２ｂ及び合成部２ｃはハードウェアとして構成してもよいし、コンピュータを、音楽解析部２ａ、表示制御部２ｂ及び合成部２ｃとして機能させるスライドショー作成プログラムとして構成し、該スライドショー作成プログラムを制御部２上で動作させる構成としてもよい。また、スライドショー作成プログラムを記録媒体に書き込んでユーザに提供し、その記録媒体からスライドショー作成プログラムを読み取って制御部２上で動作させる構成としてもよいし、スライドショー作成プログラムを通信ネットワークを介して接続されるサーバに記憶しておき、サーバからダウンロードして制御部２上で動作させたり、サーバ上で動作させる構成としてもよい。
【００３０】
記憶部３は、フラッシュメモリやハードディスク等により構成され、各種データやプログラムを記憶する。本実施例では、音楽付きスライドショーの作成に利用されるデザインスキンや、必要に応じて、サンプルの画像データや音楽データ等を記憶する。
【００３１】
表示部４は、液晶表示装置（ＬＣＤ：Liquid Crystal Display）などからなり、音楽付きスライドショーの作成に利用する各種画面を表示する。本実施例では、特に、音楽を選択させるための音楽選択画面や、画像を選択させるための画像選択画面などを表示させる。
【００３２】
操作部５は、マウスやキーボード等からなり、音楽データや画像データの選択、画像データの並び替えなどの操作を可能とする。
【００３３】
データ入力部６は、スマートメディア、コンパクトフラッシュ（登録商標）、メモリースティック（登録商標）、ＳＤメモリーカード、マルチメディアカード等のメディア８を装填するスロット、デジタルカメラやカメラ付き携帯電話機等の撮影機器９、デジタルオーディオプレーヤなどの音響機器１０等を接続する端子などを備え、メディア８や撮影機器９から画像データを入力すると共に、必要に応じて、メディア８や音響機器１０から音楽データを入力する。
【００３４】
データ出力部７は、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１１を装填するスロットを備え、記録媒体１１に、所定の形式のスライドショーデータやスライドショーの元となる画像データ、音楽データ等を書き込む。また、上記メディア、通信ネットワークを介して接続されるコンピュータ機器やサーバなどに、所定の形式のスライドショーデータやスライドショーの元となる画像データ、音楽データ等を記録する。
【００３５】
なお、図１では、音楽付きスライドショーの作成に利用する音楽データを記憶部３に記憶したり、データ入力部６から入力する構成としているため、スライドショー作成システムを制御装置１のみで構成しているが、音楽データをサーバなどから取得する場合は、図２に示すように、ＬＡＮ（Local Area Network）やＷＡＮ（Wide Area Network）などの通信ネットワーク１２を介して、音楽データを提供するサーバ１３を接続してもよい。その場合は、サーバ１３に音楽解析部を設けて音楽データを解析し、音楽の盛り上がり部分を特定する付帯情報を音楽データに関連付けて制御装置１に送信する構成としてもよいし、付帯情報を音楽データのヘッダ領域に記録し、その音楽データを制御装置１に送信する構成としてもよい。また、サーバ１３で予め音楽データを解析して付帯情報を取得しておき、記憶部３に記憶又はデータ入力部６から入力した音楽データのTOC（Table of Contents）やmp3のメタデータなどと、サーバ１３に記憶されている音楽解析済み情報とを照合して、同じ楽曲であれば、その楽曲に対応する付帯情報のみを制御装置１に送信する構成としてもよい。
【００３６】
次に、上記構成の制御装置１（スライドショーデータ作成プログラム）を用いてスライドショーを作成する方法について、図４のフローチャート図を参照して説明する。なお、本実施例のスライドショー作成方法は、写真を撮影する任意のイベントに対して適用することができるが、以下では、結婚式披露宴でカメラマンや出席者が撮影した写真画像を用いて、サービス業者のオペレータが音楽付きスライドショーを作成する場合について示す。
【００３７】
カメラマンや出席者はデジタルカメラやカメラ付き携帯電話機などの撮影機器９で、披露宴の一連の写真を撮影し、写真撮影終了後、音楽付きスライドショーを作成するサービス業者のオペレータに撮影した画像データを提供し、オペレータは音楽付きスライドショーの作成を開始する。
【００３８】
まず、ステップＳ１０１で、表示制御部２ｂは、表示部４に、例えば図５に示すような音楽選択画面２０を表示させる。この音楽選択画面２０には、音楽データの読み取り先を選択する読み取り先選択欄２１と、音楽データのタイトル名やアーティスト名、演奏時間などを表示する音楽一覧表示欄２２と、選択した音楽データを確認する選択音楽表示欄２３と、作業の手順を示す作業手順表示欄２４などが設けられており、オペレータが読み取り先選択欄２１を操作して音楽データの読み取り先を選択すると、音楽一覧表示欄２２にその読み取り先に記憶された音楽データの一覧が表示される。そして、その中から１又は複数の音楽データを選択すると、選択音楽表示欄２３に選択された音楽データが表示される。なお、この音楽データとしては、WAV、MP3（MPEG Audio Layer-3）、AAC（Advanced Audio Coding）、ATRAC（Adaptive TRansform Acoustic Coding）、CD-Trackなど、任意の形式のデータを利用することができる。また、選択する音楽の種別は特に限定されず、ポップス、ロック、クラシックなど任意である。
【００３９】
次に、ステップＳ１０２で、音楽解析部２ａは、選択された１又は複数の音楽データを解析して、楽曲中の盛り上がり部分を特定する。具体的には、一般のポップミュージックでは、必ずその楽曲の聴かせどころとなる部分（いわゆる”サビ”）が、ある一定の周期と長さを持つブロックとして現れる。そこで、楽曲を所定の時間間隔で区切り、各々の区切りに対して高速フーリエ変換等を行って周波数成分に分解し、周波数成分が類似する部分を抽出して、その部分を楽曲のサビと判断する。そして、図７に示すように、サビの部分を特定する情報（以下、付帯情報と呼ぶ。）を生成し、その付帯情報を記憶する。なお、Ａメロなどの導入部の数回登場する場合があるため、この導入部とサビとを区別する必要があるが、サビは楽曲の中で一番繰り返し頻度が高く、音量が大きく、メロディーの音程も高音域を使い、楽器の種類が多いなどの特徴があることから、各々の区切りの音量、音程、波形の特徴、繰り返しの現れ方などを総合的に判断してサビを特定することが望ましい。
【００４０】
この付帯情報は、楽曲の盛り上がり部分を特定可能であればその構成は特に限定されないが、例えば、図７に示すように、楽曲の名称（Name）とアーティスト名（Artist）と演奏時間（TotalTime）と初めのサビに相当するイントロの開始位置及び継続時間（Intro）と、各々のサビの開始位置及び継続時間（Sabi）と、楽曲の終了位置（End）などで構成することができる。また、イントロやサビの開始位置と継続時間に代えて、イントロやサビの開始時間と終了時間としてもよい。また、図７では１つの楽曲の構成を示しているが、スライドショーで複数の楽曲を使用する場合は、複数の楽曲を連続して再生した場合における各々の楽曲のイントロやサビの開始位置と継続時間を特定すればよい。
【００４１】
なお、ここでは制御装置１で音楽データを解析したが、図２に示すシステム構成の場合は、サーバ１３に音楽解析部を設けてもよく、その場合は、ステップＳ１０１で音楽データを選択したら、サーバ１３でその音楽データを解析して付帯情報を取得し、音楽データと付帯情報とを関連付けて制御装置１に送信することもできる。また、ｍｐ３ファイルではヘッダ領域に付帯情報を埋め込むことができるため、ヘッダ領域に付帯情報を埋め込んだ音楽データを制御装置１に送信することもできる。また、サーバ１３で予め音楽データを解析して付帯情報を取得しておき、ステップＳ２０１で選択された音楽データに対応する付帯情報があれば、その付帯情報のみを制御装置１に送信する構成としてもよい。
【００４２】
次に、ステップＳ１０３で、オペレータは、制御装置１のデータ入力部６にメディア８を装填又は撮影機器９を接続して、イベントで撮影された一連の画像データ（静止画像データのみでもよいし、静止画像データと動画データとが混在していてもよい。）を取得する。そして、表示制御部２ｂは、表示部４に、スライドショーで再生する画像データを選択させるための画像選択画面２５を表示させる。この画像選択画面２５には、取得した画像データに基づく画像が時系列で一覧表示される画像一覧表示欄２６と、その中から所望の画像を選択する画像選択欄２７と、作業の手順を示す作業手順表示欄２４などが設けられている。
【００４３】
ここで、従来は画像選択欄２７には選択した画像が表示されるだけであり、どの画像がどのタイミングで表示されるかはスライドショーを実行させないと分からず、画像と音楽とが一体となった音楽付きスライドショーを作成することが難しいという問題があった。そこで、本実施例では、ステップＳ１０４で、表示制御部２ｂは、画像選択欄２７に図６に示すような楽曲の盛り上がり部を演奏時間に対応付けて明示した音楽構成部２８を表示させる。この音楽構成部２８を確認することにより、楽曲のどの位置にどの画像を配置すればよいかが分かるため、画像と音楽とが一体となった音楽付きスライドショーを作成することが可能となる。
【００４４】
なお、画像データの選択に際して、音楽データの再生時間に対して画像データの数が多いと、１つの画像がスライド表示される時間が短くなって落ち着きのないスライドショーとなってしまい、一方、画像データの数が少ないと、１つの画像がスライド表示される時間が長くなって間延びしたスライドショーとなってしまうことから、音楽の再生時間内に適切な時間間隔で画像を表示することができる推奨枚数を表示することが好ましい。例えば、スライドショーでの最適な１枚当たりの表示時間は、４秒から９秒、好ましくは５秒から７秒であるため、制御部２は、選択した音楽データの演奏時間を上記最適な１枚当たりの表示時間で割った値を算出し、表示制御部２ｂは、画像選択画面２５の所定の位置に算出した値を表示することが好ましい。また、画像データの中に動画データを含む場合は、ユーザは、予めスライドショーに利用する動画データを選択し、その動画データの始点と終点とを設定して所望の再生時間（例えば、２〜３０秒）に編集することができ、制御部２は、動画データの再生時間と上記最適な１枚当たりの表示時間とに基づいて動画データを１コマ（１つの画像がスライド表示される時間）に割り当てるか、複数コマに割り当てるかを判断して、選択した音楽データの演奏時間を上記最適な１枚当たりの表示時間で割った値から動画データに割り当てたコマを減算した値を算出する。なお、動画データの再生時間がコマ単位とならない場合（例えば、動画データの再生時間が１０秒で、最適な１枚当たりの表示時間が４秒の場合など）は動画データの再生に必要な数量のコマ（上記の場合は３コマ）を割り当て、動画データの再生時間を超過する時間（上記の場合は４×３−１０＝２秒）は所定の飾り画像を表示したり、前後の画像の表示時間を延ばす（例えば、前後の画像の表示時間を１秒ずつ延ばしたり、前又は後の画像の表示時間を２秒延ばす）などの処理を行ってスライドショーの連続性が保たれるようにすることもできる。
【００４５】
そして、ステップＳ１０５で、オペレータは操作部５を操作して画像一覧表示欄２６の所望の画像を画像選択欄２７に移動させ、図６に示すように、楽曲の盛り上がり部分（音楽構成表示部２８の斜線部分）に感動的な画像（網掛け表示した画像）を配置する。例えば、イントロ部分に新郎新婦入場の画像、さび１の部分にケーキ入刀の画像、さび２の部分に新婦のお色直しの画像、さび３の部分に新郎新婦の挨拶の画像などを配置する。なお、画像選択画面２５の構成は特に限定されず、楽曲の盛り上がり部分が演奏時間に対応付けて明示されており、楽曲の構成に対応付けて画像を選択可能な構成であればよい。
【００４６】
そして、画像の並び替え後、オペレータが”進む”ボタンを押すと、合成部２ｃは、音楽に合わせて画像選択欄２７に配列された順番で画像が表示される音楽付きスライドショーの作成を開始する。
【００４７】
具体的には、まず、各々の画像データに、所定のスライド間隔分の差分データを付加して、所定の形式の動画データ（例えば、ｍｐｅｇ（Moving Picture Experts Group phase）１又はｍｐｅｇ２の動画データ）を作成する。その際、各々の画像を所定のスライド効果に基づいて変化させたり、各々の画像の位置や表示形態を変化させたり、背景画像やテキストを合成することも可能であり、その場合は、レイトレーシング法やラジオシティ法、その他リアルタイムの映像レンダリング方式を用いて映像を作成すればよい。また、必要であれば、レンダリングされた映像をフレーム毎にキャプチャーしたり、動画の形式変換を行い所定の動画形式にすればよい。
【００４８】
次に、音楽データを所定の形式のデータ（例えば、ｍｐ３データやＰＣＭ（Pulse Code Modulation）方式のデータ）に変換し、動画データと音楽データとを合成（ミキシング）して所定の形式（家電機器で利用可能なＶｉｄｅｏ−ＣＤ形式、ＤＶＤ−Ｖｉｄｅｏ形式、ＨＤＴＶ形式、コンピュータ機器で利用可能な形式、ｗｅｂで利用可能な形式）のスライドショーデータを作成する。例えば、ＤＶＤ−Ｖｉｄｅｏ形式のデータは、”VIDEO_TS”フォルダ内のビデオマネージャ（ＶＧＭ）とビデオタイトルセット（ＶＴＳ）とで構成され、ＶＧＭは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、VTS全体を制御する情報が記述されたVTS_**_0.IFO、そのバックアップファイルであるVTS_**_0.BUP、VTSの各タイトルの動画データであるVTS_**_*.VOBなどで構成される。
【００４９】
なお、入力された画像データの中に動画データが含まれている場合は、静止画像データと動画データとを合成してから音楽データを合成してもよいし、静止画像データと動画データの各々に音楽データを合成してもよい。後者の場合は、音楽データの再生時間から動画データの再生時間を減じた期間、静止画像データのスライド表示が行われるため、音楽データを予め、動画データの再生時間分の動画用音楽データと静止画像データのスライド表示時間分の静止画用音楽データに分割しておき、静止画像データから作成された動画データと静止画用音楽データとを合成し、動画データと動画用音楽データとを合成すればよい。また、動画データに音声が含まれる場合に、動画データの音声を優先するか、音楽データの楽曲を優先するかをユーザが選択できるようにしてもよいし、動画データが楽曲のどの部分で再生されるかに基づいて、合成部２ｃが自動的に選択する（例えば、動画データがサビの部分で再生される場合は楽曲を優先し、それ以外の部分で再生される場合は楽曲を優先する）ようにしてもよい。
【００５０】
次に、ステップＳ１０７で、データ出力部７に記録媒体１１を装填する。この記録媒体１１として市販されている任意の記録媒体を用いることができるが、特定の記録媒体に対してのみデータの記録が行われるようにしてもよく、その場合は、記録媒体１１の所定の領域に識別情報が記録されているか否かに基づいて記録媒体１１を識別することができる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００５１】
そして、装填された記録媒体１１にスライドショーデータと、必要に応じて音楽付きスライドショーの素材となる画像データや音楽データ、画像データのデータサイズを縮小したサムネイル画像データやスクリーンネイル画像データなどの縮小画像データ、コンピュータ機器でスライドショーを実行するためのスライドショー再生プログラムやスライドショーの設定ファイルなどを書き込む。その際、家電機器ではデータを読み込むことができる記録領域が限定されるため、ステップＳ１０８で、データ出力部７は、スライドショーデータを記録媒体１１の論理アドレス領域の内周側に書き込む。この論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００５２】
次に、必要に応じてセッションをクローズした後、ステップＳ１０９で、データ出力部７は、必要に応じて、画像データや音楽データ、縮小画像データ、スライドショー再生プログラム、スライドショーの設定ファイルなどを記録媒体１１の先に記録したスライドショーデータの外側に書き込んで一連の処理を終了する。
【００５３】
このように、制御装置１にハードウェア又はソフトウェアとして、音楽解析部２ａと表示制御部２ｂと合成部２ｃとを設け、音楽解析部２ａで、音楽データを解析してサビなどの盛り上がり部分を特定し、表示制御部２ｂで、イベントで撮影された一連の画像データを一覧表示する画面に、楽曲の盛り上がり部分を演奏時間に対応付けて表示し、合成部２ｃで、画像データと音楽データとを合成して音楽付きスライドショーを作成することにより、オペレータは音楽の盛り上がり部分に合わせて感動的な画像を容易に配置することができるため、画像と音楽とが一体となった音楽付きスライドショーを簡単に作成することができる。
【実施例２】
【００５４】
次に、本発明の第２の実施例に係るスライドショー作成システム及びスライドショー作成方法並びにスライドショー作成プログラムについて、図８及び図９を参照して説明する。図８は、本実施例の制御装置の構成を示すブロック図であり、図９は、本実施例の制御装置を用いた音楽付きスライドショーの作成方法を示すフローチャート図である。
【００５５】
前記した第１の実施例では、音楽解析部２ａで音楽データを解析した後、表示制御部２ｂは、画像選択画面２５を表示部４に表示させ、オペレータが操作部５を操作して楽曲の盛り上がり部分に感動的な画像を配置したが、この操作は煩雑であり、オペレータの感性によってスライドショーの出来映えが変化する場合がある。そこで、本実施例では、制御装置１に自動的に画像を選択して適切な位置に配置する機能を持たせ、煩雑な操作をすることなく、簡単に画像と音楽とが一体となった音楽付きスライドショーを作成できるようにする。
【００５６】
その場合、制御装置１は、図８に示すように、制御部２と、記憶部３と、表示部４と、操作部５と、データ入力部６と、データ出力部７などで構成されるが、本実施例では、制御部２は、音楽データを解析してサビなどの盛り上がり部分を特定する音楽解析部２ａと、画像データを解析して感動的な画像を特定する画像解析部２ｄと、楽曲の盛り上がり部分に感動的な画像を配置して音楽付きスライドショーを作成する合成部２ｃとして機能させる。
【００５７】
なお、上記音楽解析部２ａ、画像解析部２ｄ及び合成部２ｃはハードウェアとして構成してもよいし、コンピュータを、音楽解析部２ａ、画像解析部２ｄ及び合成部２ｃとして機能させるスライドショー作成プログラムとして構成し、該スライドショー作成プログラムを制御部２上で動作させる構成としてもよい。また、スライドショー作成プログラムを記録媒体に書き込んでユーザに提供し、その記録媒体からスライドショー作成プログラムを読み取って制御部２上で動作させる構成とすることもできる。また、スライドショー作成プログラムを通信ネットワークを介して接続されるサーバに記憶しておき、サーバからダウンロードして制御部２上で動作させたり、サーバ上で動作させてもよい。
【００５８】
次に、上記構成の制御装置１（スライドショーデータ作成プログラム）を用いて音楽付きスライドショーを作成する方法について、図９のフローチャート図を参照して説明する。なお、本実施例でも、結婚式の披露宴でカメラマンや出席者が撮影した写真画像を用いて、サービス業者のオペレータが音楽付きスライドショーを作成する場合について示す。
【００５９】
カメラマンや出席者はデジタルカメラやカメラ付き携帯電話機などの撮影機器９で披露宴の一連の写真を撮影し、写真撮影終了後、音楽付きスライドショーを作成するサービス業者のオペレータに撮影した画像データを提供し、オペレータは音楽付きスライドショーの作成を開始する。
【００６０】
まず、ステップＳ２０１で、表示制御部２ｂは、表示部４に、例えば図５に示すような音楽選択画面２０を表示させ、オペレータが読み取り先選択欄２１を操作して音楽データの読み取り先を選択すると、音楽一覧表示欄２２にその読み取り先に記憶された音楽データの一覧が表示され、その中から１又は複数の音楽データを選択すると、選択音楽表示欄２３に選択された音楽データが表示される。
【００６１】
次に、ステップＳ２０２で、音楽解析部２ａは、選択された１又は複数の音楽データを解析して、楽曲中の盛り上がり部分を特定する。具体的には、楽曲を所定の時間間隔で区切り、各々の区切りに対して高速フーリエ変換等を行って周波数成分に分解し、周波数成分が類似する部分を抽出して、その部分を楽曲のサビと判断する。そして、サビの部分を特定する付帯情報を生成し、その付帯情報を記憶する。なお、Ａメロなどの導入部とサビとを区別するために、各々の区切りの音量、音程、波形の特徴、繰り返しの現れ方などを総合的に判断してサビを特定することが望ましい。
【００６２】
なお、本実施例においても、サーバ１３に音楽解析部を設けてもよく、その場合は、ステップＳ２０１で音楽データを選択したら、サーバ１３でその音楽データを解析して付帯情報を取得し、音楽データと付帯情報とを関連付けて制御装置１に送信したり、ヘッダ領域に付帯情報を書き込んだ音楽データを制御装置１に送信すればよい。また、サーバ１３で予め音楽データを解析して付帯情報を取得しておき、ステップＳ２０１で選択された音楽データに対応する付帯情報があれば、その付帯情報のみを制御装置１に送信する構成としてもよい。
【００６３】
次に、ステップＳ２０３で、オペレータが、制御装置１のデータ入力部６にメディア８を装填又は撮影機器９を接続してイベントで撮影された一連の画像データを取得すると、ステップＳ２０４で、画像解析部２ｄは、取得した画像データを解析する。
【００６４】
具体的には、画像解析部２ｄは、各々の画像データに基づく画像の輪郭を抽出し、その輪郭と予め記憶したパターンとを比較して、その画像の主たる被写体を判定する。例えば、輪郭がウエディングドレスのパターンと一致又は類似する場合は新婦を撮影した画像であると判定し、輪郭がウエディングケーキのパターンと一致又は類似する場合は、ケーキ入刀のシーンを撮影した画像であると判定する。
【００６５】
また、画像解析部２ｄは、画像データのヘッダ情報に記録された撮影時刻を取得し、予め記憶部３に記憶したイベントのスケジュールと比較することによって、各々の画像データがイベントのどのシーンで撮影された画像データであるかを判定する。
【００６６】
また、画像解析部２ｄは、画像データのヘッダ情報に記録された撮影時刻を取得し、各々の画像データの撮影時刻を比較し、ほぼ同じ時刻に撮影された画像データが多数存在する場合は、それらの画像がイベント上、重要なシーン（例えば、ケーキ入刀や新郎新婦の入場など）で撮影された画像データであると判定する。
【００６７】
そして、画像解析部２ｄは、判定した結果を参照して、各々の画像データがどのシーンで何を撮影した画像データであるかを判断し、選択された音楽データの再生時間と、画像１枚当たりの推奨表示時間とに基づいて選択する画像データの数量を算出し、楽曲の構成を参照して、楽曲の盛り上がり部に感動的な画像が配置されるように画像データを選択する。
【００６８】
なお、ここでは、画像解析部２ｄが画像データの選択を行う構成としたが、第１の実施例と同様に、表示部４に画像選択画面２５を表示して、オペレータに画像データを選択させた後、選択された画像データに対して画像解析部２ｄが解析を行って、楽曲の構成を参照して、楽曲の盛り上がり部に感動的な画像が配置されるように画像データを並び替える構成とすることもできる。
【００６９】
次に、ステップＳ２０６で、合成部２ｃは、選択した画像データと音楽データとに基づいて音楽付きスライドショーの作成を開始する。具体的には、まず、各々の画像データに基づいて、所定の形式の動画データ（例えば、ｍｐｅｇ１又はｍｐｅｇ２の動画データ）を作成すると共に、音楽データを所定の形式のデータ（例えば、ｍｐ３データやＰＣＭ方式のデータ）に変換し、動画データと音楽データとをミキシングして所定の形式（家電機器で利用可能なＶｉｄｅｏ−ＣＤ形式、ＤＶＤ−Ｖｉｄｅｏ形式、ＨＤＴＶ形式、コンピュータ機器で利用可能な形式、ｗｅｂで利用可能な形式）のスライドショーデータを作成する。なお、第１の実施例と同様に、各々の画像を所定のスライド効果に基づいて変化させたり、各々の画像の位置や表示形態を変化させたり、背景画像やテキストを合成することも可能であり、その場合は、レイトレーシング法やラジオシティ法、その他リアルタイムの映像レンダリング方式を用いて映像を作成すればよいし、必要であれば、レンダリングされた映像をフレーム毎にキャプチャーしたり、動画の形式変換を行い所定の動画形式にすればよい。また、入力された画像データの中に動画データが含まれている場合は、静止画像データと動画データとを合成してから音楽データを合成してもよいし、静止画像データと動画データの各々に音楽データを合成してもよい。また、動画データに音声が含まれる場合に、動画データの音声を優先するか、音楽データの楽曲を優先するかをユーザが選択できるようにしてもよいし、動画データが楽曲のどの部分で再生されるかに基づいて、合成部２ｃが自動的に選択するようにしてもよい。
【００７０】
次に、ステップＳ２０７で、データ出力部７に記録媒体１１を装填すると、ステップＳ２０８で、データ出力部７は、スライドショーデータを記録媒体１１の論理アドレス領域の内周側に書き込む。次に、必要に応じてセッションをクローズした後、ステップＳ２０９で、データ出力部７は、必要に応じて、画像データや音楽データ、縮小画像データ、スライドショー再生プログラム、スライドショーの設定ファイルなどを記録媒体１１の先に記録したスライドショーデータの外側に書き込んで一連の処理を終了する。
【００７１】
このように、制御装置１にハードウェア又はソフトウェアとして、音楽解析部２ａと画像解析部２ｄと合成部２ｃとを設け、音楽解析部２ａで、音楽データを解析してサビなどの盛り上がり部分を特定し、画像解析部２ｄで、イベントで撮影された一連の画像データを解析して感動的な画像を特定し、合成部２ｃで、楽曲の盛り上がり部分に感動的な画像を配置した後、画像データと音楽データとを合成して音楽付きスライドショーを作成することにより、オペレータは特別な操作をすることなく、自動的に楽曲の盛り上がりに合わせて感動的な画像が配置されるため、画像と音楽とが一体となった音楽付きスライドショーを簡単に作成することができる。
【００７２】
なお、上記各実施例では、本発明を結婚式披露宴に適用する場合について説明したが、本発明は上記実施例に限定されるものではなく、入学式や卒業式、運動会などの任意のイベントに対して同様に適用することができる。また、上記各実施例では、サービス業者のオペレータが音楽付きスライドショーを作成する場合について説明したが、スライドショー作成プログラムを取得した任意のユーザが任意の機器を用いて音楽付きスライドショーを作成する場合に対して同様に適用することができる。
【産業上の利用可能性】
【００７３】
本発明は、イベントで撮影された一連の画像データを用いて音楽付きスライドショーを作成する任意のシステム、方法、プログラムに利用可能である。
【図面の簡単な説明】
【００７４】
【図１】本発明の第１の実施例に係る音楽付きスライドショー作成システムの構成を模式的に示す図である。
【図２】本発明の第１の実施例に係る音楽付きスライドショー作成システムの他の構成を模式的に示す図である。
【図３】本発明の第１の実施例に係る制御装置の構成を示すブロック図である。
【図４】本発明の第１の実施例に係る制御装置を用いた音楽付きスライドショー作成方法を示すフローチャート図である。
【図５】本発明の第１の実施例に係る制御装置の表示部に表示される画面構成例（音楽選択画面）を示す図である。
【図６】本発明の第１の実施例に係る制御装置の表示部に表示される画面構成例（画像選択画面）を示す図である。
【図７】本発明の第１の実施例に係る楽曲の構成及び付帯情報の例を示す図である。
【図８】本発明の第２の実施例に係る制御装置の構成を示すブロック図である。
【図９】本発明の第２の実施例に係る制御装置を用いた音楽付きスライドショー作成方法を示すフローチャート図である。
【符号の説明】
【００７５】
１  制御装置
２  制御部
２ａ  音楽解析部
２ｂ  表示制御部
２ｃ  合成部
２ｄ  画像解析部
３  記憶部
４  表示部
５  操作部
６  データ入力部
７  データ出力部
８  メディア
９  撮影機器
１０  音響機器
１１  記録媒体
１２  通信ネットワーク
１３  サーバ
２０  音楽選択画面
２１  読み取り先選択欄
２２  一覧表示欄
２３  選択音楽表示欄
２４  作業手順表示欄
２５  画像選択画面
２６  画像一覧表示欄
２７  画像選択欄
２８  音楽構成表示部
【図１】
2009118117.tif 000003
【図２】
2009118117.tif 000004
【図３】
2009118117.tif 000005
【図４】
2009118117.tif 000006
【図５】
2009118117.tif 000007
【図６】
2009118117.tif 000008
【図７】
2009118117.tif 000009
【図８】
2009118117.tif 000010
【図９】
2009118117.tif 000011